(57)【要約】【課題】動作条件が互いに異なるモードを２以上実行可能な画像読取装置において、モード毎にイメージセンサに入る光量を調整する。【解決手段】カラーモードではモノクロモードよりも大きい光量を要する場合、光源４３からの光を遮る遮光板６１、第一当たり板６３ａ、第二当たり板６３ｂ、遮光板６１を第一当たり板６３ａと第二当たり板６３ｂとの間で移動させる遮光板駆動部６２を設けて、モノクロモードにおいては第一当たり板６３ａに遮光板６１が当たるように、カラーモードでは第二当たり板６３ｂに遮光板６１が当たるように、遮光板駆動部６２によって遮光板６１を移動させる。【選択図】図４
2009021729.tif 000002
【特許請求の範囲】
【請求項１】
原稿上の画像を読み取る画像読取装置であって、
上記原稿に光を照射可能な光源、及び、上記原稿からの反射光から画像を読み取って画像信号を出力するイメージセンサを備える画像読取部と、
上記光源から上記イメージセンサへの光の一部を遮ることでイメージセンサへの入射光量を調節することができる光量調整部と、を備え、
上記イメージセンサは互いに検出感度の異なる２種以上の読取素子を備え、
上記画像読取部は、用いる読取素子が互いに異なる２以上の動作モードを実行可能になっており、
上記光量調整部は、上記動作モードに応じて、用いられる上記読取素子の感度が低いほど上記入射光量を大きくするようになっている画像読取装置。
【請求項２】
原稿上の画像を読み取る画像読取装置であって、
上記原稿に光を照射可能な光源、及び、上記原稿からの反射光から画像を読み取って画像信号を出力するイメージセンサを備える画像読取部と、
上記光源から上記イメージセンサへの光の一部を遮ることでイメージセンサへの入射光量を調節することができる光量調整部と、を備え、
上記画像読取部は、上記原稿からの画像の読取速度が互いに異なる２以上の動作モードを実行可能になっており、
上記光量調整部は、上記動作モードに応じて、上記読取速度が大きいほど上記入射光量を大きくするようになっている画像読取装置。
【請求項３】
原稿上の画像を読み取る画像読取装置であって、
上記原稿に光を照射可能な光源、及び、上記原稿からの反射光から画像を読み取って画像信号を出力するイメージセンサを備える画像読取部と、
上記光源から上記イメージセンサへの光の一部を遮ることでイメージセンサへの入射光量を調節することができる光量調整部と、を備え、
上記イメージセンサは互いに検出感度の異なる２種以上の読取素子を備え、
上記画像読取部は、用いる読取素子又は上記原稿からの画像の読取速度が互いに異なる２以上の動作モードを実行可能になっており、
上記画像読取部は、用いる読取素子が互いに異なる、又は上記原稿からの画像の読取速度が互いに異なる、２以上の動作モードを実行可能になっており、
上記光量調整部は、上記動作モードに応じて、用いられる上記読取素子の感度が低いほど上記入射光量を大きくすると共に、上記読取速度が大きいほど上記入射光量を大きくするようになっている画像読取装置。
【請求項４】
上記光量調整部は、
上記光源から上記イメージセンサに至る光路に対して位置が可変であり、上記光路に挿入されることで上記入射光量を減少させることができる遮光板と、
上記遮光板の位置を光路に対して移動させることで上記入射光量を変化させる遮光板駆動部と、を備える請求項１〜３のいずれか１項に記載の画像読取装置。
【請求項５】
上記画像読取部は、モノクロ画像を読み取るモノクロモードと、カラー画像を読み取るカラーモードとを少なくとも実行可能であり、
上記光量調整部は、モノクロモード実行時とカラーモード実行時とで、上記入射光量を異ならせるようになっている請求項１〜４のいずれか１項に記載の画像読取装置。
【請求項６】
上記画像読取部は、モノクロ画像を読み取るモノクロモードと、カラー画像を読み取るカラーモードとを少なくとも実行可能であり、
上記光量調整部は、
上記光源から上記イメージセンサに至る光路に対して位置が可変であり、上記光路に挿入されることで上記入射光量を減少させることができる遮光板と、
上記遮光板の移動範囲を規定することで上記入射光量の上限と下限とを制限する規定部材と、
上記規定部材で規定された範囲内で、上記遮光板の位置を光路に対して移動させることで、モノクロモード実行時には上記入射光量を上限又は下限の一方とし、カラーモード実行時には上記入射光量を他方に切り換えることができるようになっている遮光板駆動部と、を備える請求項１〜３のいずれか１項に記載の画像読取装置。
【請求項７】
請求項１〜６のいずれか１項に記載の画像読取装置と、
上記画像読取装置が読み取った画像を記録媒体上に形成する画像形成部と、を備える画像形成装置。
【発明の詳細な説明】
【技術分野】
【０００１】
本発明は、画像を読み取る画像読取装置及びそれを備える画像形成装置に関するものであり、具体的には、動作条件の異なる２以上のモードを実行可能な画像読取装置及びそれを備える画像形成装置に関する。
【背景技術】
【０００２】
イメージセンサによって画像を読み取る画像読取装置において、良好な画像を得るためにはイメージセンサに入る光の量を調整することが重要である。
【０００３】
例えば特許文献１の段落［０００２］には、原稿を透過した光をイメージセンサで検知して透過画像を読み取る画像読取装置が記載されている。この画像読取装置は、通常駆動モードと高速駆動モードの２種類の読取モードを実行するようになっている。通常駆動モードは、原稿の反射画像とほぼ同じ光量となるポジフィルムを読み取る際のモードであり、高速駆動モードはポジフィルムの３倍の光量を必要とするネガフィルムを読み取る際のモードである。また、特許文献１の段落［０００３］には、ネガフィルムの読取時に、光量を上げるために光源を調光することが記載されている。
【特許文献１】特開２０００−３１２２７５号公報（２０００年１１月７日公開）
【発明の開示】
【発明が解決しようとする課題】
【０００４】
画像読取装置には、感度特性が互いに異なる読取素子を用いる等、条件の異なる複数のモードを実行可能なものがある。そして、これらの複数のモードにおいて、画像の読取に適した光量が互いに異なる場合がある。モード毎に異なる条件として、用いられる素子の感度特性又は読取速度等が挙げられる。しかし、モード毎に光量を適切に調整するために光源の駆動条件を変更すると、調整に長い時間を要する等の問題があった。そこで、光量を調整するための新たな技術の開発が求められてきた。
【０００５】
本発明は、このような問題点に鑑み、新たな技術によって光量を調整する画像読取装置及びこの画像読取装置を備える画像形成装置を提供することを目的とする。
【課題を解決するための手段】
【０００６】
上記課題を解決するために、請求項１の画像読取装置は、原稿上の画像を読み取る画像読取装置であって、上記原稿に光を照射可能な光源、及び、上記原稿からの反射光から画像を読み取って画像信号を出力するイメージセンサを備える画像読取部と、上記光源から上記イメージセンサへの光の一部を遮ることでイメージセンサへの入射光量を調節することができる光量調整部と、を備え、上記イメージセンサは互いに検出感度の異なる２種以上の読取素子を備え、上記画像読取部は、用いる読取素子が互いに異なる２以上の動作モードを実行可能になっており、上記光量調整部は、上記動作モードに応じて、用いられる上記読取素子の感度が低いほど上記入射光量を大きくするようになっている。
【０００７】
上記構成によると、光量調整部が光を遮ることで入射光量を調整することができるので、光源自体の出射光量を変化させる必要はない。そして、光量調整部は、実行される動作モードに応じて入射光量を変化させることができるので、各動作モードにおいて適切な入射光量を実現することができる。
【０００８】
また、上記課題は、請求項２の画像読取装置によっても達成される。請求項２の画像読取装置は、原稿上の画像を読み取る画像読取装置であって、上記原稿に光を照射可能な光源、及び、上記原稿からの反射光から画像を読み取って画像信号を出力するイメージセンサを備える画像読取部と、上記光源から上記イメージセンサへの光の一部を遮ることでイメージセンサへの入射光量を調節することができる光量調整部と、を備え、上記画像読取部は、上記原稿からの画像の読取速度が互いに異なる２以上の動作モードを実行可能になっており、上記光量調整部は、上記動作モードに応じて、上記読取速度が大きいほど上記入射光量を大きくするようになっている。
【０００９】
また、上記課題は、請求項３の画像読取装置によっても達成される。請求項３の画像読取装置は、原稿上の画像を読み取る画像読取装置であって、上記原稿に光を照射可能な光源、及び、上記原稿からの反射光から画像を読み取って画像信号を出力するイメージセンサを備える画像読取部と、上記光源から上記イメージセンサへの光の一部を遮ることでイメージセンサへの入射光量を調節することができる光量調整部と、を備え、上記イメージセンサは互いに検出感度の異なる２種以上の読取素子を備え、上記画像読取部は、用いる読取素子又は上記原稿からの画像の読取速度が互いに異なる２以上の動作モードを実行可能になっており、上記画像読取部は、用いる読取素子が互いに異なる、又は上記原稿からの画像の読取速度が互いに異なる、２以上の動作モードを実行可能になっており、上記光量調整部は、上記動作モードに応じて、用いられる上記読取素子の感度が低いほど上記入射光量を大きくすると共に、上記読取速度が大きいほど上記入射光量を大きくするようになっている。
【００１０】
請求項１〜３の画像読取装置は、請求項４に記載するように、上記光量調整部が、上記光源から上記イメージセンサに至る光路に対して位置が可変であり、上記光路に挿入されることで上記入射光量を減少させることができる遮光板と、上記遮光板の位置を光路に対して移動させることで上記入射光量を変化させる遮光板駆動部と、を備える構成であってもよい。
【００１１】
また、請求項１〜４のいずれか１項の画像読取装置は、請求項５に記載するように、上記画像読取部が、モノクロ画像を読み取るモノクロモードと、カラー画像を読み取るカラーモードとを少なくとも実行可能であり、上記光量調整部が、モノクロモード実行時とカラーモード実行時とで、上記入射光量を異ならせるようになっている構成であってもよい。
【００１２】
また、請求項１〜３のいずれか１項の画像読取装置は、請求項６に記載するように、上記画像読取部が、モノクロ画像を読み取るモノクロモードと、カラー画像を読み取るカラーモードとを少なくとも実行可能であり、上記光量調整部が、上記光源から上記イメージセンサに至る光路に対して位置が可変であり、上記光路に挿入されることで上記入射光量を減少させることができる遮光板と、上記遮光板の移動範囲を規定することで上記入射光量の上限と下限とを制限する規定部材と、上記規定部材で規定された範囲内で、上記遮光板の位置を光路に対して移動させることで、モノクロモード実行時には上記入射光量を上限又は下限の一方とし、カラーモード実行時には上記入射光量を他方に切り換えることができるようになっている遮光板駆動部と、を備える構成であってもよい。
【００１３】
また、請求項７に記載するように、請求項１〜６のいずれか１項に記載の画像読取装置は、上記画像読取装置が読み取った画像を記録媒体上に形成する画像形成部をさらに備える画像形成装置に適用可能である。
【発明の効果】
【００１４】
本発明によると、光量調整部が光を遮ることで入射光量を調整することができるので、光源自体の出射光量を変化させる必要はない。そして、光量調整部は、実行される動作モードに応じて入射光量を変化させることができるので、各動作モードにおいて適切な入射光量を実現することができる。
【発明を実施するための最良の形態】
【００１５】
〔１〕第一実施形態
本発明の実施の一形態である画像形成装置について、以下、図面を参照して説明する。なお、以下は画像読取機能と画像形成機能とを併せ持つ画像形成装置を挙げるが、本発明はこれに限定されず、画像形成機能を持たない画像読取装置として実施可能である。
【００１６】
＜１．画像形成装置１の概要＞
図１は本実施形態の画像形成装置１の外観を示す斜視図であり、図２は画像形成装置１の一部を拡大した断面図である。
【００１７】
図１及び図２に示すように、画像形成装置１は、原稿Ｍを搬送する原稿搬送装置２と、原稿Ｍの一方の面から画像を読み取る画像読取部４及び画像読取部４が読み取った画像等を用紙上に印刷する画像形成部５を備える本体３と、を備える。
【００１８】
原稿搬送装置２は本体３の上方に配される。原稿搬送装置２は、ハウジング２０、原稿を載置するための原稿載置トレイ２１、及び読み取りが終わった原稿を受け取る原稿排出トレイ２３を備えると共に、ハウジング２０の内部に設けられ、原稿載置トレイ２１上の原稿を原稿排出トレイ２３まで搬送する原稿搬送部２２等を備える。
【００１９】
本体３は、上述の部材に加えて、画像形成部５で用いる用紙を載置するための手差しトレイ３１、用紙を収容する用紙カセット３２、画像形成後の用紙が排出される用紙排出トレイ３３、ユーザからの指示を受け付けたりユーザに種々の情報を提示したりする操作パネル３４等を備える。また、本体３は、原稿搬送装置２に対向する面に、第一プラテンガラス３５、及び第二プラテンガラス３６を備える。上述の原稿搬送装置２のハウジング２０は、第一プラテンガラス３５上に原稿を押し付ける原稿押さえとしても機能する。
【００２０】
原稿搬送部２２は、複数のローラからなる原稿搬送ローラ群２２ａと、原稿押圧部２２ｂとを備える。原稿搬送ローラ群２２ａは、原稿載置トレイ２１から原稿Ｍを一枚ずつ引き出し、第二プラテンガラス３６上を経て原稿排出トレイ２３へと排出する。原稿押圧部２２ｂは、画像読取部４が第二プラテンガラス３６を介して原稿Ｍの一方の面（以下、表面と称する）から画像を読み取れるように、原稿搬送ローラ群２２ａによって搬送される原稿Ｍを第二プラテンガラス３６に押し付ける。
【００２１】
画像読取部４については下記＜２．＞欄で後述する。
【００２２】
画像形成部５としては、電子写真方式又はインクジェット方式等の印刷機構を適宜採用することができる。
【００２３】
＜２．画像読取装置４＞
図２に示すように、画像読取部４は、原稿搬送装置２２によって搬送中又は第一プラテンガラス３５上に載置された原稿Ｍの表面の画像を読み取るようになっている。具体的には、画像読取部４は、第一プラテンガラス３５に平行に配されたレール４１、及び図示しないキャリッジ駆動部によってレール４１上を矢印方向に移動可能なキャリッジ４２等を備える。レール４１に垂直かつ第一プラテンガラス３５に平行な方向を主走査方向、レール４１に平行な方向を副走査方向と呼ぶ。
【００２４】
図３にキャリッジ４２内部の要部構成を示す。画像読取部４は、キャリッジ４２内に、光源４３、ミラー群４４、集光レンズ４６、ＣＣＤ（ＣＣＤイメージセンサ）４７等を備える。
【００２５】
光源４３は、第一プラテンガラス３５及び第二プラテンガラス３６を介して原稿Ｍの表面に光を照明するキセノンランプであり、ミラー群４４は複数のミラーによって光源４３からの光が原稿Ｍで反射した反射光を、集光レンズ４６に導く。反射光は集光レンズ４６によってＣＣＤ４７に集められる。
【００２６】
ＣＣＤ４７は受けた光をアナログの電気信号に変換する。ＣＣＤ４７は、Ｒ（赤）、Ｇ（緑）及びＢ（青）の成分をそれぞれ検出するカラーセンサであるＲ、Ｇ及びＢの３種の読取素子に加えて、さらにモノクロセンサであるＫ（黒）素子をそれぞれ多数備える。以下では、Ｒ、Ｇ、Ｂ、及びＫの各素子に、４７１〜４７４の符号をそれぞれ付して説明する（後述の図５を参照）。Ｒ，Ｂ，及びＧ画素によって得られる画像信号を「カラー画像信号」、Ｋ画素によって得られる画像信号を「モノクロ画像信号」と称する。カラー画像信号とモノクロ画像信号と特に区別しないときは、単に「画像信号」と表記する。
【００２７】
本形態では、第一プラテンガラス３５上の原稿から画像を読み取るときは、キャリッジ４２が副走査方向に移動することで原稿Ｍの全面が走査される。また、キャリッジ４２は、原稿搬送装置２２で搬送される原稿の表面の画像を読み取るときは、第二プラテンガラス３６に対向する位置に静止する。
【００２８】
＜３．遮光部６＞
画像形成装置１は、キャリッジ４２内に遮光板６１をさらに備える。遮光板６１とその周辺の部材について図４を参照して説明する。図４は、遮光板６１及びその周辺の部材を第一プラテンガラス３５側から見た上面図である。
【００２９】
図４に示すように、遮光板６１は、遮光板駆動部６２、第一当たり板６３ａ及び第二当たり板６３ｂと共に、遮光部６を構成している。遮光板６１は、遮光板駆動部６２によって矢印方向に移動することで、光源４３から第一プラテンガラス３５に向かう光路上に出し入れ可能となっている。本形態では、遮光部６全体がキャリッジ４２内に配され、キャリッジ４２によって画像読取部４と共に移動されるものとする。
【００３０】
なお、遮光板６１は光路上に挿入されることで、原稿Ｍへの照射光量を減少させ、結果的にＣＣＤ４７への入射光量を減少させることができるものであればよく、具体的な形状、素材等は限定されない。遮光板６１が挿入される光路上の位置も、光源４３と第一プラテンガラス３５との間に限定されるものではない。また、本形態では遮光板駆動部６２はソレノイドで構成されているものとするが、遮光板６１を移動させることができればこの形態に限定されることはない。例えば、遮光板駆動部６２として、ギア及びレール等を組み合わせた駆動機構を用いることもできる。
【００３１】
第一当たり板６３ａ及び第二６３ｂは所謂ストッパーとして機能し、遮光板６１の移動範囲を制限する。本形態では、第一当たり板６３ａは光路への遮光板６１の挿入量の上限を規定し、第二当たり板６３ｂは下限を規定する。つまり、第一当たり板６３ａはＣＣＤ４７への入射光量の下限を、第二当たり板６３ｂは上限を規定する。第一当たり板６３ａ及び第二当たり板６３ｂの位置の決定方法については下記＜５．＞欄で説明する。
【００３２】
＜４．画像読取＞
画像読取時の画像形成装置１内のデータの流れを図５に沿って簡単に説明する。図５は画像形成装置１の要部構成を示すブロック図である。
【００３３】
図５に示すように、画像形成装置１は上述した部材に加えて、画像読取部４からのアナログの画像信号をデジタル信号に変換するＡ／Ｄ変換器１１、Ａ／Ｄ変換器１１からのデジタル信号に基づいて画像を再合成する等の画像処理を行う画像処理部１２、ＲＡＭ（Random Access Memory）１３、ＣＰＵ（Central Processing Unit）１４、ＲＯＭ（Read Only Memory）１５、及びＨＤＤ（Hard Disk Drive）等の外部記憶装置である記憶装置１６等を備える。画像形成装置１内の各部は、データバス等のバス１７を介して互いに接続されている。
【００３４】
ＣＰＵ１４は、ＲＯＭ１５内のプログラムを実行することで、各部を制御して、モノクロ画像を読み取るモノクロモード及びカラー画像を読み取るカラーモードを実行することができる。ＲＡＭ１３は、ＣＰＵ１４の作業領域として機能すると共に、画像処理部１２から送られる画像情報を記憶する画像記憶部として機能する。
【００３５】
モノクロモード実行時には、ＣＰＵ１４の制御の下、遮光板駆動部６２が遮光板６１を第一当たり板６３ａに当たる位置まで移動させる。そして、遮光板６１がこの位置に固定された状態で、Ｋ素子４７４によるモノクロ画像の読取が行われる。
【００３６】
一方、カラーモード実行時には、同様にＣＰＵ１４の制御の下、遮光板駆動部６２が遮光板６１を第二当たり板６３ａに当たる位置まで移動させる。そして、遮光板６１がこの位置に固定された状態で、カラー素子（４７１〜４７３）によるカラー画像の読取が行われる。
【００３７】
＜５．当たり板の位置の決定＞
第一当たり板６３ａ及び第二当たり板６３ｂは、ＣＣＤ４７への入射光量が適切になるように配されていればよい。
【００３８】
ノイズを低減させるためにはＣＣＤ４７への入射光量は大きい方が好ましいが、入射光量が各センサのダイナミックレンジを超えると、画像を精確に読み取ることができないという問題が起きる。特にモノクロ素子４７４とカラー素子（４７１〜４７３）のように、感度特性の異なる素子同士では、その感度特性の違いにより、適切な光量が互いに異なる場合がある。
【００３９】
例えば、画像読取部４の特性が以下の通りであるとする。
【００４０】
カラー感度  ：15[V/lx・s］
モノクロ感度：25[V/lx・s］
読取速度    ：200us/line
ＣＣＤ４７の画像信号強度（出力電圧[Ｖ]）は、感度[V/lx・s]×光量[lx]×時間[s]で与えられるので、白基準原稿を読み取ったときに１Ｖの出力電圧を得ようとすると、
カラーモード時に必要な光量[lx]  =1[V]÷15[V/lx・s]÷(200×10-6) [s]=333[lx]
モノクロモード時に必要な光量[lx]=1[V]÷25[V/lx・s]÷(200×10-6) [s]=200[lx]
となる。なお、ここでの光量[lx]とはＣＣＤ４７上での光量、すなわち入射光量である。
【００４１】
この例によると、上述の第一当たり板６３ａはＣＣＤ４７上での光量が200[lx]となるように、第二当たり板６３ｂはＣＣＤ４７上での光量が333[lx]となるように配される。
【００４２】
なお、読取素子の感度特性によっては、本形態とは逆に、モノクロモードにおける入射光量がカラーモードにおける入射光量よりも大きくなるように、遮光板６１がモノクロモードで第二当たり板６３ｂに、カラーモードで第一当たり板６３ａに当たるようにされてもよい。
【００４３】
また、読取素子の感度特性以外にも、読取速度、又は用いる読取素子と読取速度の両方に応じて、遮光板６１の位置が切り換えられるようになっていてもよい。いずれの場合も、出力電圧[Ｖ]＝感度[V/lx・s]×光量[lx]×時間[s]の上述の式に当てはめて、光量が適正な範囲になるように、第一当たり板６３ａ及び第二当たり板６３ｂの位置が設定される。
【００４４】
なお、ＣＣＤ４７への適切な入射光量が得られれば、第一当たり板６３ａ及び第二当たり板６３ｂの位置決定の方法は特に限定されるものではない。
例えば、第一当たり板６３ａ及び第二当たり板６３ｂの位置は、図６等を参照しながら以下に説明するようにして決定されてもよい。図６はＣＣＤ４７に対する入射光量と画像信号の強度との関係を示すグラフである。
【００４５】
図６に示すように、入射光量が大きくなるにつれて信号強度は大きくなる。しかし、入射光量が或るレベルに達すると、信号強度はそれ以上増加しなくなる。このときの信号強度を図中に「飽和レベル」として示す。また、入射光量が小さくなるにつれてノイズの影響が大きくなる。ノイズの影響が大きく、画像読取に適さない信号強度を、図中に「ノイズ発生レベル」として示す。
【００４６】
第一当たり板６３ａ及び第二当たり板６３ｂの位置は、画像形成装置１が製造される工場において、ＣＰＵ１４が画像処理部１２又はＲＡＭ１３の有する画像情報を参照して得た画像信号強度に応じて決定され得る。
【００４７】
具体的には、工場にて、第一当たり板６３ａが移動されると共に、遮光板６１も第一当たり板６３ａに当たるように移動される。そして、第一当たり板６３ａは、画像読取部４が白基準原稿を読み取って得られたモノクロ画像信号の強度が、モノクロ画像信号の飽和レベル近傍かつ飽和レベルより小さい範囲（図中に「適正範囲」として示す）となる位置（第一基準位置）に取り付けられる。第二当たり番６３ｂは、第一当たり板６３ａと同様にして、白基準原稿に対するカラー画像信号がカラー画像信号の「適正範囲」となる位置（第二基準位置）に取り付けられる。
【００４８】
なお、上記「適正範囲」は、具体的な値に限定されるものではなく、適宜変更され得る。「適正範囲」は、上限値が飽和レベルの１００％未満であって、下限値がノイズ発生レベルより大きければよい。特に、適正範囲の下限値は、飽和レベルの７０％以上、８０％以上、又は９０％以上に設定されることがある。
【００４９】
基準位置の具体的な決定方法としては、例えば、（ａ）適正範囲内で「基準値」を予め設定しておき、白基準原稿に対する信号強度がこの基準値に一致するような当たり板６３０の位置を基準位置として決定する方法、及び、（ｂ）図６中に示すように、信号強度が飽和レベル未満となる位置（ｉ）から信号強度が飽和レベルとなる位置（ｉｉ）まで当たり板６３０の位置を移動させ、信号強度が飽和レベル未満、かつ飽和レベル近傍となる位置を基準位置として決定する方法等が挙げられる。
【００５０】
このように、本形態の画像形成装置１は、用いる読取素子又は読取速度の少なくとも一方が異なる２以上のモードを実行可能である。そして、実行するモードの違いによって、ＣＣＤ４７への入射光量を切り換えることで、各モードにおいて、適切な光量で原稿を読み取ることができ、良好な画像を取得することができる。
【００５１】
特に、上述したように遮光板６１を用いる構成によると、どのモードを実行するべきかという指示をユーザから受け付けてから、短時間で光量調節が可能であるという利点がある。
【００５２】
〔２〕他の実施形態
上記〔１〕欄に述べた第一実施形態の構成は、モノクロモードを実行するかカラーモードを実行するかによってＣＣＤ４７への入射光量を変更可能とする構成の一例に過ぎない。すなわち、入射光量を変更するための構成は、上述の形態に限定されない。
【００５３】
例えば、同じく遮光板６１を用いる構成であっても、当たり板（６３ａ、６３ｂ）を用いるのではなく、遮光板駆動部６２による遮光板６１の移動量自体が規定されることで、挿入量が規定されるようになっていてもよい。この場合は、記憶装置１６等の画像形成装置１内の記憶領域に、モノクロモード時の遮光板６１の挿入量及びカラーモード時の遮光板６１の挿入量が記憶されており、ＣＰＵ１４がこの記憶に沿って遮光板駆動部６２を制御するようになっていればよい。
【００５４】
より具体的には、遮光部６が遮光板６１をギア等によって移動させるようになっている場合、ギアの回転数等によって、各モードにおける遮光板６１の挿入量が規定されていてもよい。
【００５５】
また、上述の第一実施形態において、遮光板６１は光源４３と第一プラテンガラス３５との間に配されたが、遮光板６１は光源４３からＣＣＤ４７に至る光路上であれば、どこに設けられてもよい。
【００５６】
また、上述の第一実施形態では、遮光部６は遮光板６１によってＣＣＤ４７への入射光量を調整しているが、これ以外にも、入射光量を変化させることのできる絞り等の構成を、遮光部６として適宜採用可能である。
【００５７】
以上、異なる欄に記載された技術を適宜組み合わせて得られる形態、及び、さらに従来公知の技術を組み合わせて得られる形態も、本発明の技術的範囲に含まれる。
【図面の簡単な説明】
【００５８】
【図１】本実施形態の画像形成装置１の外観を示す斜視図である。
【図２】図２は画像形成装置１の一部を拡大した断面図である。
【図３】キャリッジ４２の内部の構成を示す断面図である。
【図４】遮光部６の要部構成を示す上面図である。
【図５】画像形成装置１の要部構成を示すブロック図である。
【図６】ＣＣＤ４７に対する入射光量と画像信号の強度との関係を示すグラフである。
【符号の説明】
【００５９】
１      画像形成装置
２      原稿搬送装置
４      画像読取部
４３    光源
４７    ＣＣＤ
４７１〜４７３  カラー素子（カラーセンサ）
４７４  モノクロ素子（モノクロセンサ）
５      画像形成部
６      遮光部（光量調整部）
６１    遮光板
６２    遮光板駆動部
６３ａ  第一当たり板
６３ｂ  第二当たり板
１２    画像処理部
１３    ＲＡＭ
１４    ＣＰＵ
１５    ＲＯＭ
１６    記憶装置
【図１】
2009021729.tif 000003
【図２】
2009021729.tif 000004
【図３】
2009021729.tif 000005
【図４】
2009021729.tif 000006
【図５】
2009021729.tif 000007
【図６】
2009021729.tif 000008